(57)【要約】【課題】商品の多様化、頻繁に起こる模様替えの度に不用となったり、新たに購入する必要性を少なくし、サイズの異なる種々の陳列ケースへの転用が可能な長さの調整自在の商品陳列棚を提供すること。【解決手段】商品を載置する１以上の斜面６を一方向に隣接して設け、一方向の一端に商品落下防止部８、他端に平面部７を有する略鋸刃状断面の表陳列面３と、表陳列面３の裏側であって平面状の裏陳列面４とからなる商品陳列棚基部２１と、商品陳列棚基部２１の平面部７にヒンジ止めされた平板状の長さ調整板９とからなる商品陳列棚２と、陳列ケース内に配設される高さ可変の設置台５と、から構成され、設置台５に商品陳列棚の表陳列面３及び裏陳列面４のいずれか一方を置き、いずれか他方に商品を陳列する。【選択図】　　　　図２
2004008292.tif 000002
【特許請求の範囲】
【請求項１】
商品を載置する１以上の斜面を一方向に隣接して設け、該一方向の一端に商品落下防止部、他端に平面部を有する略鋸刃状断面の表陳列面と、該表陳列面の裏側であって平面状の裏陳列面とからなる商品陳列棚基部と、商品陳列棚基部の平面部にヒンジ止めされた平板状の長さ調整板とからなる商品陳列棚と、
前記陳列ケース内に配設される高さ可変の設置台と、
から構成され、前記設置台に前記商品陳列棚の表陳列面及び裏陳列面のいずれか一方を置き、いずれか他方に商品を陳列することを特徴とする陳列ケース用商品陳列棚。
【請求項２】
前記表陳列面は商品を載置する１以上の平面及び１以上の斜面とを一方向に隣接して設けてなることを特徴とする請求項１記載の陳列ケース用の商品陳列棚。
【請求項３】
前記平板状の長さ調整板を前記表陳列面側に所望の角度で折り曲げて使用することを特徴とする請求項１〜３のいずれか１項記載の陳列ケース用の商品陳列棚。
【発明の詳細な説明】
【０００１】
【発明の属する技術分野】
本発明は、主にスーパー、百貨店、専門店、コンビニエンスストアー等の店内の陳列ケース内で商品を陳列するのに用いられ、商品の特性に合わせて陳列ケース内の陳列を多面的に変えることができると共に、サイズの異なる種々の陳列ケースに転用可能な長さ調整自在の陳列ケース用商品陳列棚に関する。
【０００２】
【従来の技術】
近年、スーパー、百貨店、専門店、コンビニエンスストアー等の店内の陳列ケース内で使用される商品陳列棚として、商品を載置する１以上の斜面を一方向に隣接して設け、この一方向一端に商品落下防止部を有し且つ他端に平面を有して表陳列面を構成し、該表陳列面の裏側に仕切り板の嵌合溝を少なくとも１以上設けて裏陳列面を構成してなり、前記陳列ケース内に高さ可変の設置台を配設し、該設置台に商品陳列棚の前記表陳列面及び裏陳列面のいずれか一方を置き、いずれか他方に商品を陳列する陳列棚が知られている（特開２００１−１９７９８４号公報）。この商品陳列棚は、少ない部品で、商品の多様化、頻繁に起こる模様替えに十分に対応出来、模様替えの度に不用となったり、新たに購入する必要性を少なくし、かつ保管のためのスペースを減らすことができる効果があり、極めて有用な陳列棚である。
【０００３】
【発明が解決しようとする課題】
一方、冷蔵ケース等の陳列ケースは、ゴンドラ状の陳列棚に比べて内容積が制限されており、特に高さ方向及び奥行き方向に制約がある。このため、前述の商品を載置する１以上の斜面を一方向に隣接して設けてなる長尺状の商品陳列棚を陳列ケースに使用する場合、奥の壁板や前方の側板、あるいは中間棚板を支持するブラケット等が当該商品陳列棚の設置の邪魔になったりする。また、陳列ケースの模様替えをする場合、他の陳列ケースで使用していた当該商品陳列棚を転用するにしても、他の陳列ケースのサイズが大きい場合には、該商品陳列棚の長さ寸法が大きいため、転用する陳列ケースに寸法が合わず使用できないという問題がある。これでは、長さ寸法の異なる種々の長尺状の商品陳列棚を用意する必要があり、該商品陳列棚が有する模様替えの度に不用となったり、新たに購入する必要性を少なくし、かつ保管のためのスペースを減らすという長所が没却してしまう。
【０００４】
従って、本発明の目的は、商品の多様化、頻繁に起こる模様替えの度に不用となったり、新たに購入する必要性を少なくし、かつ保管のためのスペースを減らすという長所を維持しつつ、サイズの異なる種々の陳列ケースへの転用が可能な長さの調整自在の商品陳列棚を提供することにある。
【０００５】
【課題を解決するための手段】
かかる状況において、本発明者らは、鋭意検討を行った結果、商品を載置する１以上の斜面を一方向に隣接して設け、該一方向の一端に商品落下防止部、他端に平面部を有する商品陳列棚基部において、該他端の平面に長さ調整板をヒンジ止めで付設した商品陳列棚であれば、模様替えの度に不用となったり、新たに購入する必要性を少なくし、かつ保管のためのスペースを減らすと共に、サイズの異なる種々の陳列ケースへの転用が可能であること等を見出し、本発明を完成するに至った。
【０００６】
すなわち、本発明（１）は、商品を載置する１以上の斜面を一方向に隣接して設け、該一方向の一端に商品落下防止部、他端に平面部を有する略鋸刃状断面の表陳列面と、該表陳列面の裏側であって平面状の裏陳列面とからなる商品陳列棚基部と、商品陳列棚基部の平面部にヒンジ止めされた平板状の長さ調整板とからなる商品陳列棚と、前記陳列ケース内に配設される高さ可変の設置台と、から構成され、前記設置台に前記商品陳列棚の表陳列面及び裏陳列面のいずれか一方を置き、いずれか他方に商品を陳列する陳列ケース用商品陳列棚を提供するものである。また、本発明（２）は、前記表陳列面は商品を載置する１以上の平面及び１以上の斜面とを一方向に隣接して設けてなる前記陳列ケース用の商品陳列棚を提供するものである。また、本発明（３）は、前記平板状の長さ調整板を前記表陳列面側に所望の角度で折り曲げて使用する前記陳列ケース用の商品陳列棚を提供するものである。
【０００７】
【発明の実施の形態】
次に、本発明の実施の形態における陳列ケース用商品陳列棚を図１〜図１２に基づいて詳述する。図１は本発明の実施の形態における陳列ケース用商品陳列棚に使用する商品陳列棚基部を示す斜視図、図２は本例の陳列ケース用商品陳列棚の第１の使用例を示す図、図３は本例の陳列ケース用商品陳列棚の冷蔵ケース内での使用例を示す図、図４は図１の商品陳列棚の長さ調整板を折り曲げた状態を示す図、図５は奥行きが狭い冷蔵ケースに用いる陳列ケース用商品陳列棚の第２の使用例を示す図、図６は奥行きは広いがブラケットを有する冷蔵ケースに用いる陳列ケース用商品陳列棚の第２の使用例を示す図、図７は図１の商品陳列棚の長さ調整板を折り畳み且つ長さ調整板が設置台側に、商品落下防止部が前方側に来るようにした図、図８は奥行きが狭い冷蔵ケースに用いる陳列ケース用商品陳列棚の第３の使用例を示す図、図９は奥行きは広いがブラケットを有する冷蔵ケースに用いる陳列ケース用商品陳列棚の第３の使用例を示す図、図１０は本例の陳列ケース用商品陳列棚の第４の使用例を示す図、図１１は奥行きが広い冷蔵ケースに用いる陳列ケース用商品陳列棚の第４の使用例の例を示す図、図１２は本例の陳列ケース用商品陳列棚の第５の使用例を示す図である。
【０００８】
陳列ケース用商品陳列棚１は、商品を載置する１以上の斜面６を一方向に隣接して設け、該一方向の一端に商品落下防止部８、他端に平面部７を有する略鋸刃状断面の表陳列面３と、表陳列面３の裏側であって平面状の裏陳列面４とからなる商品陳列棚基部２と、商品陳列棚基部２の平面部７にヒンジ止めされた平板状の長さ調整板９とからなる商品陳列棚２と、陳列ケース内に配設される高さ可変の設置台５と、から構成され、設置台５に商品陳列棚２の表陳列面３及び裏陳列面４のいずれか一方を置き、いずれか他方に不図示の商品を陳列する。
【０００９】
すなわち、図中、商品陳列棚２は、厚板の１面に略鋸刃状断面の表陳列面３を設け、その裏側に裏陳列面４を設けてなるものである。商品陳列棚２の表陳列面３は、１以上の斜面６及び１以上の平面部７を、一方向、すなわち、矢線Ａ方向に隣接して設け、この一方向一端に商品落下防止部８を有し且つ他端に平面部７を有してなる。裏陳列面４は、表陳列面３の裏側であって平面状の陳列面を有する。表陳列面４の形態としては、上記の例に限定されず、斜面６と斜面６の間の平面部７は省略することができる。この場合、斜面６の陳列面を多くすることができるものの、陳列できる商品が制限されることもある。
【００１０】
陳列ケース１１としては、特に制限されないが、開放型冷蔵ケースが例示できる。図３は開放型冷蔵ケースの最下段のスペース１２に商品陳列棚２を設置する場合を示している。そして、最下段のスペース１２の前方には落下防止部１４が設けられ、商品陳列棚２を設置した際、商品陳列棚２の最下位に陳列した商品が陳列ケース１１外に落下しないようになっている。また、設置台５は、直方体であり、それぞれの辺長さが異なったものを使用し、設置台の置き方により、商品陳列棚２を３種類の高さに変えられるようにしている。また、商品陳列棚２の陳列傾斜を更に変えたい場合は、直方体の３つの辺の寸法が異なる別途に作製された設置台３を用意すればよい。
【００１１】
商品陳列棚２の表陳列面３は、１の斜面６及び１の平面部７で１つの商品載置面を構成し、この商品載置面が４つあり、これら４つの商品載置面からの商品の落下を防ぐ商品落下防止部８が設けられている。そして、平面部７に対する斜面６の傾斜角αは２２度±８度とすることが、後述するように、上下逆にして使用する際、斜面６が水平面となる陳列形態を構成できる点で好適である。
【００１２】
平板状の長さ調整板９は、商品陳列棚基部２の平面部７にヒンジ止めされるものであって、横幅寸法が商品陳列棚基部２と同じであり、厚みが平板部７と同じであるものが、折り曲げない状態で該長さ調整板９も商品陳列面として使用することができる点で好適である。ヒンジ１０は、商品陳列棚基部２の平面部７と長さ調整板９が接合され、折り曲げ自在であれば特に制限されないが、平板状の長さ調整板９を表陳列面３側に任意の角度で折り曲げて使用することができるヒンジ構造であるものが好適である。本例で示すヒンジ１０は、例えば樹脂を金型により一体成型で製作でき、商品陳列棚基部２の表面部と長さ調整板９の表面部を薄膜状の接合部１０１で接合したものである。薄膜状の接合部１０１は図１では明確に認められないほどのものであるものの、後述する図１０及び図１１のような状態でも、長さ調整板９部分に商品の荷重が掛かっても破断することなく、また、繰り返し折り曲げても容易に破断することはない。商品陳列棚基部２の表面部と長さ調整板９の表面部を薄膜状の接合部１０１で接合したヒンジ構造のものであれば、表陳列面３側に任意の角度で折り曲げることができ、表陳列面の陳列形態に種々の変化を与えることができる点で好適である。
【００１３】
次に、本例における陳列ケース用商品陳列棚１の第１の使用方法を図２及び図３を参照して説明する。先ず、設置場所である陳列ケース１１に適した陳列ケース用の商品陳列棚１、すなわち、設置台５及び商品陳列棚２を選択すると共に、その必要数を用意する。設置台５は本実施の形態例では縦寸法と横寸法が異なる直方体である。図２及び図３に示すように、奥行き寸法がＬ１と大きな開放型冷蔵ケースである陳列ケース１１の最下段のスペース１２に設置台５を設置台の高さが低くなるように設置し、更に、この設置台５上及びスペース１２上に、図２に示す状態の商品陳列棚２を、商品落下防止部８が設置台５側に、長さ調整板９が落下防止部１４側にくるように設置する（図３では、陳列ケース内の右側の形態）。この場合、長さ調整板９は冷蔵ケースの陳列台面１２１に置かれるため水平状態である。その後、表陳列面３上に商品を載置する。このように、ヒンジ効果により水平状態に設置された長さ調整板９は、陳列ケース１１の前方にいわゆる「溜まり」を形成することになり、これが顧客に対して一番手前の陳列商品にボリューム感のある陳列形態を与えることになる。また、斜面を有する商品陳列棚を更に傾斜で設置するため、陳列ケース１１の後方にもボリューム感のある陳列形態をつくることができる。このような陳列形態に好適な商品としては、例えばリンゴ、ジャガイモ、葉物野菜等が挙げられる。商品陳列棚２を第１の使用例のように用いれば、奥行き長さの大きな冷蔵ケースにも適用できる。
【００１４】
次に、本例における陳列ケース用商品陳列棚１の第２の使用方法を図４〜図６を参照して説明する。図４〜図６において、図１及び図２と同一構成要素には同一符号を付してその説明を省略し、異なる点について主に説明する。すなわち、第２の使用方法において、第１の使用方法と異なる点は長さ調整板９を更に深く折り曲げ、冷蔵ケース１１の前端にある転落防止部１４の内側面に当接するようにした点にある。すなわち、商品陳列棚２を第２の使用例のように用いれば、奥行き長さがＬ２と小さな冷蔵ケース１１ａには、奥行き長さが短い設置台５を併用することで適用できる。また、奥行き長さがＬ１と大きく中間棚板１３を有する冷蔵ケース１１の場合、商品陳列棚２を図２のような使用方法で設置すると（図中、二点鎖線）、中間棚板１３を支持するブラケット１５の基部１５１辺りが設置の邪魔になることがあるが、第２の使用例のように用いれば、ブラケット１５を回避して使用できる。従って、第１の使用例と同様、リンゴ、ジャガイモ、葉物野菜等の商品を傾斜面に陳列してボリューム感を与えることができる。
【００１５】
次に、本例における陳列ケース用商品陳列棚１の第３の使用方法を図７〜図９を参照して説明する。図７〜図９において、図１及び図２と同一構成要素には同一符号を付してその説明を省略し、異なる点について主に説明する。すなわち、第３の使用方法において、第１の使用方法と異なる点は長さ調整板９を折り畳み、商品陳列棚２の全体長さを短くすると共に、長さ調整板９の裏面９２を商品の陳列面とした点及び長さ調整板９が設置台５側に、商品落下防止部８が前側に来るように設置して、斜面６を水平の商品陳列面とした点にある（図３では、陳列ケースの左側の形態）。また、この状態における商品陳列棚２の前方下面１６には、冷蔵ケースの陳列台にその設置が安定するよう、切欠面１６が形成されている。商品陳列棚２を第３の使用例のように用いれば、図８のように、奥行き長さがＬ２と短い冷蔵ケース１１ａにも適用できる。また、図９に示すように、奥行き長さがＬ１と長い中間棚板１３を有する冷蔵ケース１１に適用する場合、商品陳列棚２を長さ調整板９を展開した形態で設置すると（図中、二点鎖線）、中間棚板１３を支持するブラケット１５の基部１５１辺りが設置の邪魔になることがあるが、第３の使用例のように用いれば、ブラケット１５を回避して使用できる。第３の使用例で陳列される商品としては、例えばパック物、アスパラ、ゴボウ、長ネギ等であり、これらをヒナ段／パック物等の陳列として用いれば、その陳列の演出効果を高めることができる。
【００１６】
次に、本例における陳列ケース用商品陳列棚１の第４の使用方法を図１０〜図１１を参照して説明する。図１０〜図１１において、図７及び図８と同一構成要素には同一符号を付してその説明を省略し、異なる点について主に説明する。すなわち、第４の使用方法において、第３の使用方法と異なる点は、長さ調整板９を展開し商品陳列棚２の全体長さを長くすると共に、長さ調整板９の表面９１を商品の陳列面とした点にある。商品陳列棚２を第４の使用例のように用いれば、図１１に示すように、奥行き長さがＬ１と長い冷蔵ケース１１において、商品の陳列面を最大にして使用できる他、前記第３の使用例と同様の陳列の演出効果を奏することができる。
【００１７】
次に、本例における陳列ケース用商品陳列棚１の第５の使用方法を図１２を参照して説明する。図１２において、図８と同一構成要素には同一符号を付してその説明を省略し、異なる点について主に説明する。すなわち、第５の使用方法において、第３の使用方法と異なる点は商品陳列棚２を上下逆さにすると共に、更にこれを反転させ、裏陳列面４を上面にくるようにした点にある。すなわち、商品落下防止部８が設置台５ａ側に、長さ調整板９が冷蔵ケース１１ａの落下防止部１４側に来るように設置する。その後、裏陳列面４上に商品を斜面陳列とする。商品陳列棚２を第５の使用例のように用いれば、図１２に示すように、奥行き長さがＬ２と小さな冷蔵ケース１１ａにおいて、パック物、大根、その他の商品の陳列の演出効果を高めることができる。
【００１８】
以上のように、陳列ケース用商品陳列棚１は商品の特性、設置場所の状況等
に合わせて種々の使い勝手がある。従来、陳列ケースの模様替えの際、他の陳列ケースで使用していた商品陳列棚を転用するにしても、他の陳列ケースのサイズが大きい場合には、商品陳列棚の長さ寸法が大きいため、転用する陳列ケースに寸法が合わず使用できない場合があったが、本発明の商品陳列棚によれば、長さ調整板を角度自在に折り曲げ、あるいは折り畳む等して用いることができるため、上記のような問題を解決できる。
【００１９】
以上、本発明の実施形態を説明したが、具体的な構成はこれに限定されず、本発明の要旨を逸脱しない範囲での変更、追加は本発明の範囲内である。
【００２０】
【発明の効果】
以上詳述したように、請求項１の発明によれば、商品の多様化、頻繁に起こる模様替えの度に不用となったり、新たに購入する必要性を少なくし、かつ保管のためのスペースを減らすという長所を維持しつつ、サイズの異なる種々の陳列ケースへの転用ができるという、効果がある。
【００２１】
請求項２の発明によれば、１以上の平面が存在することにより、斜面の傾斜角を一定角度以上に保持しても商品落下防止部が高くならず、物の特性に応じた陳列が行い易い。従って、上記効果に加え、陳列の選択肢が増え、バラエティーに富んだ商品陳列が可能となる。
【００２２】
請求項３の発明によれば、長さ調整板を展開した状態で使用すれば、商品陳列面を最大にして、奥行き長さが十分に長い陳列ケースに好適であり、長さ調整板を折り畳んだ状態で使用すれば、奥行き長さがやや小さな陳列ケースにも転用できる。また、長さ調整板は表陳列面側に屈曲自在であるため、商品陳列棚の多様な設置形態に対応できる。
【図面の簡単な説明】
【図１】本発明の実施の形態における陳列ケース用商品陳列棚に使用する商品陳列棚基部を示す斜視図である。
【図２】本例の陳列ケース用商品陳列棚の第１の使用例を示す図である。
【図３】本例の陳列ケース用商品陳列棚の冷蔵ケース内での使用例を示す図である。
【図４】図１の商品陳列棚の長さ調整板を折り曲げた状態を示す図である。
【図５】本例の陳列ケース用商品陳列棚の第２の使用例を示す図である。
【図６】本例の陳列ケース用商品陳列棚の第２の他の使用例を示す図である。
【図７】図１の商品陳列棚の長さ調整板を折り畳んだ状態で、上下逆さにした状態を示す図である。
【図８】本例の陳列ケース用商品陳列棚の第３の使用例を示す図である。
【図９】本例の陳列ケース用商品陳列棚の第３の他の使用例を示す図である。
【図１０】本例の陳列ケース用商品陳列棚の第４の使用例を示す図である。
【図１１】本例の陳列ケース用商品陳列棚の第４の他の使用例を示す図である。
【図１２】本例の陳列ケース用商品陳列棚の第５の使用例を示す図である。
【符号の説明】
１　　　　　　　　　　　陳列ケース用商品陳列棚
２　　　　　　　　　　　商品陳列棚
３　　　　　　　　　　　表陳列面
４　　　　　　　　　　　裏陳列面
５、５ａ　　　　　　　　設置台
６　　　　　　　　　　　斜面
７　　　　　　　　　　　平面部
８　　　　　　　　　　　商品落下防止部
９　　　　　　　　　　　長さ調整板
１０　　　　　　　　　　ヒンジ
１１、１１ａ　　　　　　冷蔵ケース（陳列ケース）
１２　　　　　　　　　　スペース
１４　　　　　　　　　　商品落下防止部
１５　　　　　　　　　　ブラケット
２１　　　　　　　　　　商品陳列棚基部
Ｌ１、Ｌ２　　　　　　　冷蔵ケースの奥行き寸法
【図１】
2004008292.tif 000003
【図２】
2004008292.tif 000004
【図３】
2004008292.tif 000005
【図４】
2004008292.tif 000006
【図５】
2004008292.tif 000007
【図６】
2004008292.tif 000008
【図７】
2004008292.tif 000009
【図８】
2004008292.tif 000010
【図９】
2004008292.tif 000011
【図１０】
2004008292.tif 000012
【図１１】
2004008292.tif 000013
【図１２】
2004008292.tif 000014